(57)【特許請求の範囲】
【請求項１】
横長の大視野と、この大視野の左右の一部を遮光した幅狭視野と、上記大視野の上下の一部を遮光した横長視野とに切換可能なファインダであって、
大視野の左右端部を遮光可能な縦遮光壁を有し、大視野の左右方向に移動可能に案内された一対の幅狭視野用遮光枠；
大視野の上下端部を遮光可能な横遮光壁を有し、大視野の上下方向に移動可能に案内された一対の横長視野用遮光枠；
上記一対の幅狭視野用遮光枠を、縦遮光壁が大視野枠内に入らない大視野枠位置を中心に、縦遮光壁が大視野枠内に入る幅狭視野枠位置とその反対方向の横長視野枠位置に移動させる操作部材；及び
視野枠面に直交する軸を中心に揺動可能に支持され、上記一対の幅狭視野用遮光枠の一方に設けた突起部材に係合するカム面を有し、該一対の幅狭視野用遮光枠が大視野位置と横長視野位置との間で移動するときその移動力によって揺動され、該揺動によって一対の横長視野用遮光枠を大視野の上下方向へ正逆に移動させる揺動カム部材；
を有することを特徴とするファインダの視野枠切換装置。
【請求項２】
請求項１記載のファインダの視野枠切換装置において、上記揺動カム部材は一対設けられ、上記一方の幅狭視野用遮光枠は、この一対の揺動カム部材のカム面に当接する一対の上記突起部材を備えているファインダの視野枠切換装置。
【請求項３】
請求項２記載のファインダの視野枠切換装置において、一対の揺動カム部材は大視野の長辺に対して平行に配置されており、上記一対の横長視野用遮光枠は、
一対の揺動カム部材によって直接に支持される、横長矩形の第１の横遮光壁と；
大視野の上下方向へ延びる支持部材を介して、この第１の横遮光壁と平行に一対の揺動カム部材によって支持される第２の横遮光壁と；
を有するファインダの視野枠切換装置。
【請求項４】
請求項１ないし３のいずれか１項記載のファインダの視野枠切換装置において、操作部材は視野枠面に直交する軸を中心に回動する軸部材を有し、さらに、該操作部材の回動を受けて、上記一対の幅狭視野用遮光枠を大視野の左右方向へ正逆に直線移動させる、上記揺動カム部材とは異なる揺動部材を備えているファインダの視野枠切換装置。
【発明の詳細な説明】
【０００１】
【技術分野】
本発明は、カメラのファインダの視野枠切換装置に関する。
【０００２】
【従来技術及びその問題点】
自己推進式フィルムカートリッジを使用する新システム（Advanced Photo System ）のカメラでは、撮影画面サイズを、横長の大視野（標準視野、ハイビジョン、縦横比約９：１６）と、この大視野の左右の一部を遮光した幅狭視野（クラシック、縦横比約２：３）と、上記大視野の上下の一部を遮光した横長視野（パノラマ、縦横比約１：３）とに切換可能なものがある。このカメラでは撮影時の画像はフィルム上にハイビジョンサイズで写し込まれ、選択された画面サイズ情報が各コマごとに磁気的に記録される。そして、各撮影画面サイズへの処理は、該磁気記録に基づいて現像以後の段階で行われ、ハイビジョンサイズの左右をカットするとクラシック画面に、上下をカットするとパノラマ画面になる。そのためカメラ内の撮影光路上には画面サイズの縦横比を変化させる遮光機構を要しないが、撮影者が構図を決定するために、選択された画面サイズをファインダ内に表す必要がある。そこで、ファインダ光学系内には視野枠の切換装置が設けられる。
【０００３】
こうした視野枠切換装置を機械的に構成する場合、例えば一対のＬ字型の遮光部材を対向させて横長矩形の視野枠を作り、該Ｌ字型遮光部材を、視野枠の長辺及び短辺と平行に移動させることでハイビジョンサイズを中心に、クラシックサイズとパノラマサイズとに視野枠を形成することができる。しかし、この構成ではＬ字型の遮光部材が直交２方向に移動するため、視野枠の縦横２方向に遮光部材の幅にほぼ等しい退避スペースを必要とする。また、遮光部材を縦横２方向に移動させようとする場合、駆動機構や支持機構が複雑になってしまう。
【０００４】
【発明の目的】
本発明は、横長の大視野と、この大視野の左右の一部を遮光した幅狭視野と、大視野の上下の一部を遮光した横長視野とに画面サイズを切換可能なカメラにおいて、従来に比して省スペースで駆動機構が簡易なファインダの視野枠切換装置を得ることを目的とする。
【０００５】
【発明の概要】
本発明のファインダの視野枠切換装置は、横長の大視野と、この大視野の左右の一部を遮光した幅狭視野と、上記大視野の上下の一部を遮光した横長視野とに切換可能なファインダであって、大視野の左右端部を遮光可能な縦遮光壁を有し、大視野の左右方向に移動可能に案内された一対の幅狭視野用遮光枠；大視野の上下端部を遮光可能な横遮光壁を有し、大視野の上下方向に移動可能に案内された一対の横長視野用遮光枠；上記一対の幅狭視野用遮光枠を、縦遮光壁が大視野枠内に入らない大視野枠位置を中心に、縦遮光壁が大視野枠内に入る幅狭視野枠位置とその反対方向の横長視野枠位置に移動させる操作部材；及び、視野枠面に直交する軸を中心に揺動可能に支持され、上記一対の幅狭視野用遮光枠の一方に設けた突起部材に係合するカム面を有し、該一対の幅狭視野用遮光枠が大視野位置と横長視野位置との間で移動するときその移動力によって揺動され、該揺動によって一対の横長視野用遮光枠を大視野の上下方向へ正逆に移動させる揺動カム部材；を有することを特徴とする。
【０００６】
揺動カム部材は一対設けられ、上記一方の幅狭視野用遮光枠は、この一対の揺動カム部材のカム面に当接する一対の突起部材を備えていることが好ましい。
【０００７】
一対の揺動カム部材は大視野の長辺に対して平行に配置され、該一対の揺動カム部材で駆動される一対の横長視野用遮光枠は、
一対の揺動カム部材によって直接に支持される、横長矩形の第１の横遮光壁と；
大視野の上下方向へ延びる支持部材を介して、この第１の横遮光壁と平行に一対の揺動カム部材によって支持される第２の横遮光壁と；
から構成される。
【０００８】
また、上記操作部材は視野枠面に直交する軸を中心に回動する軸部材を有しており、視野枠切換装置はさらに、該操作部材の回動を受けて、上記一対の幅狭視野用遮光枠を大視野の左右方向へ正逆に直線移動させる、上記揺動カム部材とは異なる揺動部材を備えることで外部から駆動力を伝達できる。
【００１０】
【発明の実施の形態】
以下、図面に基づいて本発明を説明する。図１から図５は、本発明によるファインダの視野枠切換装置を適用した、自己推進式のフィルムカートリッジを使用するカメラの一実施形態を示している。この実施形態のカメラは、カメラボディ１１の正面中央に、ズームレンズ鏡筒２１を有している。ズームレンズ鏡筒２１は、第１、第２レンズ鏡筒２２、２３からなり、光軸方向後方の収納位置と前方の撮影可能位置（ズーム範囲）との間を移動可能であり、収納位置ではカメラボディ１１内に収納される沈胴式となっている。ズームレンズ鏡筒２１は、カメラボディ１１内部に設けたズームモータによって光軸方向に駆動される。カメラボディ１１は正面に、収納されたズームレンズ鏡筒２１を保護する固定カバー１３、収納カバー１４、スライドカバー１５を備えている。固定カバー１３はカメラボディ１１に固定されていて、スライドカバー１５は、スライドレール１６に沿ってカメラボディ１１の長手方向に進退可能に支持されている。また収納カバー１４は、スライドカバー１５に連動し、スライドカバー１５が固定カバー１３に当接した閉鎖状態では固定カバー１３とスライドカバー１５との間に形成される縦長長方形の開口を閉じ（図１参照）、スライドカバー１５が固定カバー１３から離反した開放状態ではスライドカバー１５と同方向に移動し、かつスライドカバー１５の裏面まで完全に移動してズームレンズ鏡筒２１を露出させる（図２参照）。
【００１１】
このカメラには、スライドカバー１５が閉位置から全開位置に達する直前、及び全開位置から閉位置に若干移動させたときに作動するメインスイッチが設けられている。このメインスイッチは、スライドカバー１５が閉位置から全開位置に達する直前にオンして、スライドカバー１５が全開位置から閉位置に若干移動されるとオフするように構成されている。メインスイッチがオンになると、ズームモータが繰出方向に起動してレンズ鏡筒２２、２３が撮影可能位置まで駆動される。一方、メインスイッチがオフになると、ズームモータが収納方向に起動してレンズ鏡筒２２、２３が収納位置まで引き込まれる。
【００１２】
カメラボディ１１の正面左側には円筒状のグリップ部１２が形成されていて、このグリップ部１２の上端面に、大型のモードダイヤル１７と、モードダイヤル１７の軸部にレリーズボタン１９が設けられている。モードダイヤル１７はクリックストップタイプの回転ダイヤルであって、そのクリックストップ位置によって、自動露出モード、自動露出及び赤目軽減用プリ発光モード、スローシャッタモード、バルブ及び強制ストロボ発光モード、バルブモード、ストロボ強制発光モード、ストロボ発光停止モードを択一的に選択できる。レリーズボタン１９は２段スイッチであって、半押しで測光スイッチがオンして測光及び測距し、全押しでレリーズスイッチがオンして合焦及び露光処理、フィルム巻き上げ処理などを実行する。
【００１３】
カメラボディの正面にはさらに、カバー１４、１５を開放した状態で露出する、測光窓２７、ＡＦ窓２９及びファインダ窓３０が備えられている。
【００１４】
カメラボディ１１の上面にはポップアップストロボ２５が設けられる。このポップアップストロボ２５は、スライドカバー１５の開閉に連動し、開放移動でポップアップし、閉鎖移動で収納される。
【００１５】
カメラボディ１１の背面には、ほぼ中央にＬＣＤパネル３１を備え、上部ほぼ中央にファインダのアイピース３２、その右側に順に撮影画面切換ダイヤル３３及びズーム操作レバー３４を備え、ズーム操作レバー３４の下方には、カートリッジ蓋３５をロック、解放するカートリッジ蓋開閉レバー３６を備えている。カメラボディ１１の側面には、電池収納室を開閉する電池蓋の開閉レバー３７が設けられている。なお、図４のＬＣＤパネル３１は、表示素子を全て点灯状態で示している。撮影画面切換ダイヤル３３は、ハイビジョン（Ｈ）位置を中立に、クラシック（Ｃ）とパノラマ（Ｐ）の両位置に回動操作して撮影画面サイズを３様に切り換えることができる。撮影画面切換ダイヤル３３で選択した画面サイズ情報は、不図示の磁気記録装置によってフィルム面に記録される。
【００１６】
カメラボディ１１の正面側のファインダ窓３０と背面側のアイピース３２の間にはファインダ光学系が設けられる。このファインダ光学系内には、撮影者がアイピース３２から観察して構図を決定するために、撮影画面切換ダイヤル３３で選択した画面サイズに応じて視野枠を切り換える、視野枠切換装置が配される。
【００１７】
図６から図１１は、カメラボディ１１内部におけるファインダの視野枠切換装置を示している。図６を参照して視野枠切換装置の構成を説明する。この視野枠切換装置の親板４１は、中央付近に矩形開口部４２を有する。矩形開口部４２の上下には、該矩形開口部４２の長辺と平行に延びる各一対の摺動案内溝４３、４４が設けられ、一対の摺動案内溝４３の上部には、円形孔４５と弧状ガイド孔４６が対をなして穿設されている。矩形開口部４２の一短辺の側部には板状部４７が張り出しており、これに円形の軸受孔４８が穿設されている。親板４１の下部両端からは、板面に対し垂直な方向に一対の嵌着ピン４９が突設され、この一対の嵌着ピン４９の横方向に一対の固定突起５０が突出している。また、親板４１の上部にはフック掛け５２が形成されている。
【００１８】
親板４１の一対の摺動案内溝４３には、第１Ｌ字遮光部材５５の横長壁５６の側面に突設した一対の案内ピン５７（図７から図９を参照）が摺動可能に嵌合される。横長壁５６の一端部からは直角に縦遮光壁５８が延設され、横長壁５６の他端部には縦溝５９が形成されている。また横長壁５６の上面には一対のカム係合突起６０が突設されている。親板４１の一対の摺動案内溝４４には同様に、第２Ｌ字遮光部材６１の横長壁６２の側面に突設した一対の案内ピン６３（図７から図９を参照）が摺動可能に嵌合される。横長壁６２の一端部からは直角に、上記縦遮光壁５８と対向する縦遮光壁６４が延設され、この縦遮光壁６４の一側には、上記縦溝５９と対向する縦溝６５が形成されている。
【００１９】
第１Ｌ字遮光部材５５の縦溝５９と、第２Ｌ字遮光部材６１の縦溝６５には、シーソ部材８０の操作突起８１、８２がそれぞれ回動及び摺動可能に嵌入される。シーソ部材８０は、この操作突起８１と操作突起８２の中間点に回動軸８３を突出させており、該回動軸８３は上記親板４１の軸受孔４８に回動可能に装着されている。シーソ部材８０の回動軸８３と反対側の面には、非円形断面形状の結合孔８４が穿設されている。シーソ部材８０が図７に示す状態を中心に、正逆方向に揺動すると、第１Ｌ字遮光部材５５と第２Ｌ字遮光部材６１は、各一対の摺動案内溝４３、４４の案内を受けて、矩形開口部４２の左右方向にそれぞれ正逆に同量スライドする。これにより、縦遮光壁５８と縦遮光壁６４が矩形開口部４２の左右方向において相互に接近する動作と離間する動作とが行われる。以下、第１Ｌ字遮光部材５５及び第２Ｌ字遮光部材６１に関して、縦遮光壁５８と縦遮光壁６４が最大に接近する位置を幅狭視野形成位置、縦遮光壁５８、６４が最大に離間する位置を横長視野形成位置と呼ぶ。
【００２０】
上述の通り、親板４１上部には一対の円形孔４５が設けられている。この一対の円形孔４５は、それぞれ矩形開口部４２の上辺から等しい高さに穿設されており、一対の揺動カム６６の回動支持軸６７ａを回動可能に支持している。各揺動カム６６には、回動支持軸６７ａの側方に揺動案内ピン６８ａが固設されていて、親板４１の一対の弧状ガイド孔４６内で移動可能に嵌っている。よって一対の揺動カム６６は、揺動案内ピン６８ａが弧状ガイド孔４６に案内される範囲の揺動を行う。
【００２１】
一対の揺動カム６６の下面側には、上記第１Ｌ字遮光部材５５のカム係合突起６０と係合するカム面６９（図７から図９を参照）が形成されている。カム面６９は、回動支持軸６７ａ付近の凹状カム面６９ａと平面部６９ｂを有している。各揺動カム６６において、回動支持軸６７ａの反対方向には回動支持軸６７ｂが突設され、揺動案内ピン６８ａの反対方向には第１吊下ピン６８ｂが突設されている。また回動支持軸６７ｂを挟んで第１吊下ピン６８ｂと軸対称の位置には第２吊下ピン７０が突設されている。揺動カム６６は、カム係合突起６０がカム面６９の平面部６９ｂに係合しているときには、第２吊下ピン７０が上り、第１吊下ピン６８ｂが下がった状態に保持され（図７及び図８参照）、カム係合突起６０がカム面６９の凹状カム面６９ａに嵌っているときには、逆に第１吊下ピン６８ｂが上り、第２吊下ピン７０が下がった状態へ揺動される（図９参照）。
【００２２】
第１Ｌ字遮光部材５５の横長壁５６の側面に隣接して、横遮光板７１が配される。この横遮光板７１は上方に向けて一対の吊下腕部７１ａを有し、該吊下腕部７１ａに設けた一対のピン受け孔７２を、上記一対の揺動カム６６の一対の第２吊下ピン７０に貫通支持されている。また、第１Ｌ字遮光部材５５及び第２Ｌ字遮光部材６１の側面に隣接して枠状遮光板７３が配される。この枠状遮光板７３の上辺からは一対の吊下腕部７３ａが延設される。該一対の吊下腕部７３ａは一対のピン受け孔７４を有し、これを上記一対の揺動カム６６の一対の第１吊下ピン６８ｂが貫通支持している。枠状遮光板７３の下部枠体は、上記横遮光板７１と平行に延びる横遮光部７５となっている。また枠状遮光板７３の内周面は、親板４１の矩形開口部４２とほぼ同サイズの矩形開口部７６となっている。
【００２３】
一対の揺動カム６６が回動支持軸６７ａ（６７ｂ）を中心に揺動すると、一対の第２吊下ピン７０に支持された横遮光板７１と、一対の第１吊下ピン６８ｂに支持された枠状遮光板７３は、左右方向の位置を若干変化させつつ矩形開口部４２の上下方向に正逆に同量移動する。これにより、横遮光板７１と横遮光部７５が矩形開口部４２の上下方向において相互に接近する動作と離間する動作とが行われる。
【００２４】
横遮光板７１及び枠状遮光板７３に隣接して押え板８５が設置される。押え板８５は、親板４１の両端下部に設けた一対の固定突起５０に、係止孔８６とフック８７を係着させて一対の小円孔８８に上記一対の嵌着ピン４９を嵌合させ、さらに親板４１のフック掛け５２にフック８９を係合させることによって親板４１と固定される。この固定状態において、上記一対のピン受け孔７２を貫通した一対の第２吊下ピン７０は、押え板８５に設けた一対の弧状ガイド孔９０に摺動可能に嵌合し、上記一対のピン受け孔７４を貫通した一対の第１吊下ピン６８ｂは、同一対の弧状ガイド孔９１に摺動可能に嵌合する。また各一対の弧状ガイド孔９０と弧状ガイド孔９１の間に形成された一対の円形孔９２に、上記一対の回動支持軸６７ｂが回動可能に支持されている。
【００２５】
押え板８５の中央付近には、矩形開口部９３が形成されている。この矩形開口部９３は、縦横比が約９：１６であり、ハイビジョン用の視野枠（大視野）を構成している。前述の、親板４１に設けた矩形開口部４２及び枠状遮光板７３の矩形開口部７６は、この矩形開口部９３よりも若干大きく形成されていて、押え板８５と親板４１の間に組み付け誤差があってもハイビジョン用の視野枠が干渉されずに確保される。
【００２６】
第１Ｌ字遮光部材５５及び第２Ｌ字遮光部材６１は、幅狭視野形成位置にあるとき、縦遮光壁５８と縦遮光壁６４がこの矩形開口部（ハイビジョン用視野枠）９３の左右端部に進出する。従って、第１Ｌ字遮光部材５５及び第２Ｌ字遮光部材６１は、シーソ部材８０の揺動に応じてハイビジョン用視野枠の左右端部を遮光するクラシック用遮光枠を構成している。また、横遮光板７１と枠状遮光板７３（横遮光部７５）は、このクラシック用遮光枠が横長視野形成位置に移動すると矩形開口部（ハイビジョン用視野枠）９３の上下端部に進出する。従って、横遮光板７１と枠状遮光板７３は、一対の揺動カム６６の揺動に応じてハイビジョン用視野枠の上下端部を遮光するパノラマ用遮光枠を構成している。さらに、第１Ｌ字遮光部材５５の一対のカム係合突起６０と、これに係合して駆動される一対の揺動カム６６とが、クラシック用遮光枠の移動力を受けてパノラマ用遮光枠を駆動させる連動移動機構を構成している。
以上から、ファインダの視野枠切換装置は、親板４１に対してクラシック用遮光枠、パノラマ用遮光枠及び連動移動機構が組み付けられ、これを押え板８５で押えて挟着支持したユニット構成となっている。
【００２７】
矩形開口部９３の側方の板状部９４には上記シーソ部材８０の結合孔８４を露出させる貫通孔９５が穿設されている。この貫通孔９５を通して、切換レバー（操作部材）９６の結合ピン９７が上記結合孔８４へ嵌合する。結合孔８４と結合ピン９７は非円形断面形状をなしているから、両者は相対回転することなく結合され、切換レバー９６の回動がシーソ部材８０に伝達される。切換レバー９６は、その回動軸と偏心の位置に該軸線と平行に延びる偏心ピン９８を備え、この偏心ピン９８を回動操作すると、シーソ部材８０が回動軸８３を中心に回動する。
【００２８】
組立状態の視野枠切換装置を図１０に示す。クラシック用遮光枠、パノラマ用遮光枠及び連動移動機構が親板４１と押え板８５の間に挟まれ、一体の視野枠切換ユニット１００として構成されている。該ユニット１００内にはさらに、切換レバー９６に操作されるシーソ部材８０も挟着支持されている。この視野枠切換ユニット１００は一体に組み立てられた後、カメラ本体のファインダ光学系支持部１０１（図１１）に装着される。ファインダ光学系支持部１０１には、物体側から順に、対物光学系１０２、固定ミラー１０３、固定レンズ１０４、ポロプリズム１０５、アイピース３２が配されている。このファインダ光学系は、前後方向に薄いカメラボディ１１内で光路長を確保するため、固定ミラー１０３とポロプリズム１０５により、光軸が平面的に見てクランク状に屈曲されている。対物光学系１０２による像は、固定ミラー１０３で反射された後、固定レンズ１０４の直後の位置（ピント面）に結像し、この固定ミラー１０３とポロプリズム１０５の合計４面の反射面で正立像に変換されて、アイピース３２を介して観察される。
【００２９】
ファインダ光学系支持部１０１にはピント面に相当する位置にユニット装着部１０６が形成されている。このユニット装着部１０６に、押え板８５を固定レンズ１０４に、親板４１をポロプリズム１０５にそれぞれ臨ませて視野枠切換ユニット１００が嵌め込まれ、上部カバー１０７が取り付けられる。ユニット装着部１０６の壁面には、シーソ部材８０の結合孔８４を外部に露出させる貫通孔１０８が形成され、切換レバー９６の結合ピン９７を該結合孔８４と結合させることが可能になっている。
【００３０】
結合孔８４に結合ピン９７が取り付けられた状態において、切換レバー９６（偏心ピン９８）の回動軸はカメラボディ１１の左右方向に延びている。一方、撮影画面切換ダイヤル３３は、カメラボディ１１の背面板と平行な面内で回動する。撮影画面切換ダイヤル３３の裏面には、回動軸に対して偏心した位置に軸方向突起１０９が植設されていて、該軸方向突起１０９の端部が偏心ピン９８を挟着保持している。軸方向突起１０９と偏心ピン９８が係合しているため、撮影画面切換ダイヤル３３を一定の範囲で正逆に回動させると、切換レバー９６がこれに応じて一定量正逆に回動され、シーソ部材８０が駆動される。切換レバー９６と撮影画面切換ダイヤル３３には、撮影画面切換ダイヤル３３を図４に示す３つの回動位置、すなわち、ハイビジョン（Ｈ）、クラシック（Ｃ）、パノラマ（Ｐ）に応じて係止させる係止機構が設けられており、撮影画面切換ダイヤル３３がハイビジョン位置（Ｈ）にあるときシーソ部材８０を図７に示す位置に保持させる。そして該位置から撮影画面切換ダイヤル３３をクラシック位置（Ｃ）へ回動させると、シーソ部材８０が図８に示す位置へ回動され、パノラマ位置（Ｐ）へ回動させると、シーソ部材８０が図９に示す位置へ回動される。
【００３１】
上記構成の視野枠切換装置は、次のように作動する。図７から図９において２点鎖線で示す枠は、固定のハイビジョン視野枠を形成する矩形開口部９３である。
図７は、撮影画面切換ダイヤル３３がハイビジョン位置（Ｈ）を選択している場合を示す。シーソ部材８０は、第１Ｌ字遮光部材５５縦溝５９と第２Ｌ字遮光部材６１の縦溝６５を一直線上に位置させる中立位置に保持されている。この中立位置では、第１Ｌ字遮光部材５５の縦遮光壁５８と第２Ｌ字遮光部材６１の縦遮光壁６４は、矩形開口部（ハイビジョン用視野枠）９３の画角外にある。このとき第１Ｌ字遮光部材５５は、一対のカム係合突起６０が一対の揺動カム６６下部のカム面６９の平面部６９ｂを押し上げる位置にある。これにより第２吊下ピン７０が上り、第１吊下ピン６８ｂを下げた状態となる一対の揺動カム６６は、横遮光板７１を矩形開口部９３の画角外に引き上げ、矩形開口部７６を親板４１の矩形開口部４２と略一致させる位置に枠状遮光板７３を保持する。つまり、撮影画面切換ダイヤル３３がハイビジョン位置（Ｈ）にあるときは、押え板８５に設けた矩形開口部９３がファインダの視野枠となる。
【００３２】
撮影画面切換ダイヤル３３をハイビジョン位置（Ｈ）からクラシック位置（Ｃ）に操作すると、切換レバー９６を介してシーソ部材８０が図７中の反時計方向に回動する。この回動で操作突起８１が縦溝５９を図７中の左方向に押し込むので、第１Ｌ字遮光部材５５は、一対の案内ピン５７を一対の摺動案内溝４３に案内されて図７中の左方向へスライドされる。同時に、操作突起８２が縦溝６５を図７中の右方向に押し込むので、第２Ｌ字遮光部材６１は、一対の摺動案内溝４４の案内を受けて図７中の右方向へスライドされる。このスライドで縦遮光壁５８及び縦遮光壁６４が、矩形開口部９３の左右端部に進出する。視野枠の左右は縦遮光壁５８及び縦遮光壁６４で遮光されるので、その分視野枠は横方向に狭くなる。一方、第１Ｌ字遮光部材５５が図中左方向にスライドしたとき、カム係合突起６０の移動方向へは揺動カム６６のカム面６９は平面形状をなしているので、カム係合突起６０とカム面６９の当接する高さは変化せず、一対の揺動カム６６は図７の位置から回動されない。よって横遮光板７１と枠状遮光板７３（横遮光部７５）は、矩形開口部９３の画角外の位置から駆動されずに保持される。つまり、縦方向の視野は矩形開口部９３の上下端で決定される。この状態では視野枠の縦横比が約２：３となり、クラシック用の視野枠になる（図８）。
【００３３】
撮影画面切換ダイヤル３３をハイビジョン位置（Ｈ）からパノラマ位置（Ｐ）に操作すると、切換レバー９６を介して、シーソ部材８０が図７中の時計方向に回動する。この回動で、操作突起８２が縦溝６５を図７中の左方向に押し込むので、第２Ｌ字遮光部材６１は、一対の摺動案内溝４４の案内を受けて図７中の左方向へスライドされる。同時に、操作突起８１が縦溝５９を図７中の右方向に押し込むので、第１Ｌ字遮光部材５５は、一対の摺動案内溝４３の案内を受けて図７中の右方向へスライドされる。このスライドでは、縦遮光壁５８及び縦遮光壁６４が相互に離間する方向に移動されるため、第１Ｌ字遮光部材５５及び第２Ｌ字遮光部材６１は視野枠の大きさに関係せず、横方向の視野は矩形開口部９３の左右端で決定される。第１Ｌ字遮光部材５５が右方向へスライドしたとき、第１Ｌ字遮光部材５５の一対のカム係合突起６０が、一対のカム面６９に形成した凹状カム面６９ａに嵌る。すると、一対の揺動カム６６が図７中の反時計方向に揺動され、一対の第２吊下ピン７０が下がり、一対の第１吊下ピン６８ｂが上がる。これにより横遮光板７１が図７中の下方に略平行に移動され、一対の第１吊下ピン６８ｂが上がるため枠状遮光板７３が図７中の上方に略平行に移動され、横遮光板７１と枠状遮光板７３の横遮光部７５が矩形開口部９３の上下端部に進出する。矩形開口部９３の上下は遮光板７１及び横遮光部７５で遮光されるので、その分視野枠は上下方向に狭くなる。この状態では視野枠の縦横比が約１：３となり、パノラマ用の視野枠になる（図９）。
【００３４】
以上の視野枠切換動作を簡単にまとめると、矩形開口部（ハイビジョン用視野枠）９３がファインダの視野を決定する中立位置（図７）から、切換レバー９６を用いてシーソ部材８０を図７中の反時計方向に回動させると、クラシック用遮光枠（Ｌ字型遮光部材５５、６１）のみが、縦遮光壁５８及び縦遮光壁６４を矩形開口部９３の左右端部に進出させる位置（幅狭視野形成位置）に駆動されてクラシックサイズの視野枠になる。一方、中立位置からシーソ部材８０を図７中の時計方向に回動させると、クラシック用遮光枠（Ｌ字型遮光部材５５、６１）が逆方向（横長視野形成位置）に駆動され、この移動力でパノラマ用遮光枠（横遮光板７１、枠状遮光板７３）が矩形開口部９３の上下端部に進出される方向に駆動されてパノラマサイズの視野枠になる。
【００３５】
このように、パノラマ用遮光枠（横遮光板７１、枠状遮光板７３）は、パノラマサイズ選択時にのみ駆動されるので、視野枠の上下方向に遮光部材の退避スペースを設ける必要がなく、視野枠の周囲におけるスペース効率がよい。また、クラシック用遮光枠（Ｌ字型遮光部材５５、６１）とパノラマ用遮光枠（横遮光板７１、枠状遮光板７３）の駆動方向をそれぞれ一方向とし、揺動カム６６を用いて、クラシック用遮光枠の左右方向の移動力でパノラマ用遮光枠を上下方向に駆動させるため、遮光部材の支持安定性がよく、駆動機構の構成を簡単にできる。
【００３７】
【発明の効果】
以上のように本発明によれば、横長の大視野と、この大視野の左右の一部を遮光した幅狭視野と、大視野の上下の一部を遮光した横長視野とに画面サイズを切換可能なカメラにおいて、従来に比して省スペースで駆動機構が簡易なファインダの視野枠切換装置を得ることができる。
【図面の簡単な説明】
【図１】本発明によるファインダの視野枠切換装置を適用するカメラの、撮影レンズ収納状態の正面図である。
【図２】同カメラの撮影可能状態の正面図である。
【図３】同カメラの撮影可能状態の平面図である。
【図４】同カメラの背面図である。
【図５】同カメラの撮影可能状態の側面図である。
【図６】本発明を適用したファインダの視野枠切換装置の構成を示す分解斜視図である。
【図７】ハイビジョン（標準）視野用の視野枠切換装置の正面図である。
【図８】クラシック（幅狭）視野用の視野枠切換装置の正面図である。
【図９】パノラマ（横長）視野用の視野枠切換装置の正面図である。
【図１０】図６の視野枠切換装置の組立状態の斜視図である。
【図１１】カメラ本体のファインダ光学系への視野枠切換装置の装着位置を示す斜視図である。
【符号の説明】
１１  カメラボディ
１５  スライドカバー
２１  ズームレンズ鏡筒
３０  ファインダ窓
３２  アイピース
３３  撮影画面切換ダイヤル
４１  親板
５５  第１Ｌ字遮光部材
５８  縦遮光壁
６０  カム係合突起
６１  第２Ｌ字遮光部材
６４  縦遮光壁
６６  揺動カム
６８ｂ  第１吊下ピン
６９  カム面
７０  第２吊下ピン
７１  横遮光板
７３  枠状遮光板
７５  横遮光部
８０  シーソ部材
８４  結合孔
８５  押え板
９３  矩形開口部（ハイビジョン用視野枠）
９６  切換レバー（操作部材）
９７  結合ピン
９８  偏心ピン
１００  視野枠切換ユニット
１０１  ファインダ光学系支持部
１０６  ユニット装着部
【図１】
0003752036.tif 000002
【図２】
0003752036.tif 000003
【図３】
0003752036.tif 000004
【図４】
0003752036.tif 000005
【図５】
0003752036.tif 000006
【図６】
0003752036.tif 000007
【図７】
0003752036.tif 000008
【図８】
0003752036.tif 000009
【図９】
0003752036.tif 000010
【図１０】
0003752036.tif 000011
【図１１】
0003752036.tif 000012